(57)【要約】【課題】ラベルの被貼着場所の寸法を簡単に測定してラベルの長さと使用する印字テープの幅を容易に決めることができるテープ印字装置を提供する。【解決手段】テープ印字装置１は、複数種類の幅の印字テープが装着可能であり、その装着された印字テープに文字列を印字してラベルを作成する。このテープ印字装置１の装置本体２には、スケール３１が着脱可能に装着される。このスケール３１には、基準点３２を基準にして寸法目盛を有する寸法目盛表示部３３と前記複数種類の印字テープの幅に対応する目盛を有するテープ幅目盛表示部３４が直交して表記されている。そして、このスケール３１の寸法目盛表示部３３及びテープ幅目盛表示部３４によりラベルの被貼着場所の寸法領域を測定して作成するラベルの長さと幅を決めることができる。【選択図】    図１
2004209812.tif 000002
【特許請求の範囲】
【請求項１】
幅の異なる複数種類の印字テープが装着可能であり、その装着された印字テープに文字を印字してラベルを作成するテープ印字装置において、
寸法を測定する寸法目盛を表記した第１の目盛表示部と、前記複数種類の印字テープの幅の寸法に対応する目盛を表記した第２の目盛表示部とを有するスケールを備えることを特徴とするテープ印字装置。
【請求項２】
前記第１の目盛表示部と前記第２の目盛表示部とは、基準点を一致させ互いに直交する関係に配置されていることを特徴とする請求項１記載のテープ印字装置。
【請求項３】
幅の異なる複数種類の印字テープが装着可能であり、その装着された印字テープに文字を印字してラベルを作成するテープ印字装置において、
寸法を測定する寸法目盛を表記した目盛表示部と、前記複数種類の印字テープの幅の寸法に対応する指標を表記した指標表示部とを有するスケールを備えることを特徴とするテープ印字装置。
【請求項４】
幅の異なる複数種類の印字テープが装着可能であり、その装着された印字テープに文字を印字してラベルを作成するテープ印字装置において、
寸法を測定する寸法目盛を表記した第１の目盛表示部と、前記複数種類の印字テープに対応させてその印字テープの幅内に印字される文字のテープ幅方向の印字幅に対応する目盛を表記した第２の目盛表示部とを有するスケールを備えることを特徴とするテープ印字装置。
【請求項５】
前記第１の目盛表示部と前記第２の目盛表示部とは、基準点を一致させ互いに直交する関係に配置されていることを特徴とする請求項４記載のテープ印字装置。
【請求項６】
前記スケールは、テープ印字装置に着脱可能に取り付けられた部材であることを特徴とする請求項１ないし５のいずれかに記載のテープ印字装置。
【請求項７】
前記スケールは、テープ印字装置の本体表面に備えられていることを特徴とする請求項１ないし５のいずれかに記載のテープ印字装置。
【請求項８】
幅の異なる複数種類の印字テープが装着可能であり、その装着された印字テープに文字を印字してラベルを作成するテープ印字装置に対応して使用するためのスケールであって、
寸法を測定する寸法目盛を表記した第１の目盛表示部と、前記複数種類の印字テープの幅の寸法に対応する目盛を表記した第２の目盛表示部とを備えることを特徴とするスケール。
【請求項９】
前記第１の目盛表示部と前記第２の目盛表示部とは基準点を一致させ互いに直交する関係に配置されていることを特徴とする請求項８記載のスケール。
【請求項１０】
幅の異なる複数種類の印字テープが装着可能であり、その装着された印字テープに文字を印字してラベルを作成するテープ印字装置に対応して使用するためのスケールであって、
寸法を測定する寸法目盛を表記した目盛表示部と、前記複数種類の印字テープの幅の寸法に対応する指標を表記した指標表示部とを備えることを特徴とするスケール。
【発明の詳細な説明】
【０００１】
【発明の属する技術分野】
この発明は、テープ印字装置及びそれに使用するスケールに関する。
【０００２】
【従来の技術】
テープ印字装置は、入力した任意の文字列を印字テープに印字し、印字された部分を切断してラベルを作成するものである。このテープ印字装置に使用する印字テープは、幅サイズ（テープの長さ方向に直交する方向の寸法）の異なる複数種類のものが予め用意されており、作成したラベルを所望の対象物の被貼着場所に貼着できるように印字面の裏面に接着層が形成され、その接着層は剥離紙によってカバーされている。
【０００３】
また、テープ印字装置は、予め設定したテープ長の範囲に文字列を印字し、テープを切断することにより所望の長さのラベルを作成する定長印字機能、あるいは、ユーザーが設定しなくとも装置に装着されている印字テープの幅サイズに応じて自動的に印字文字のサイズを設定する機能等の種々の機能を備えている。
【０００４】
このようなテープ印字装置によりラベルを作成する場合には、ラベルを対象物に貼着したときのバランスを考慮し、あるいはその被貼着場所でのラベルの貼着可能なスペースのサイズを考慮して、適切な幅サイズの印字テープを選択して装置に装着するとともに、定長印字機能を使用してその長さを設定して印字を行うことがある。
【０００５】
そして、従来のテープ印字装置として、例えば、特開平１０−１２９０８６号公報のものでは、装置本体にメジャーを備えており、ラベルを貼る場所に合わせてメジャーを引き出すと、そのメジャーの移動量からラベルの寸法が自動的に検出され、その寸法の長さのラベルが定長印字機能により作成されるものである。
【０００６】
【特許文献１】
特開平１０−１２９０８６号公報
【０００７】
【発明が解決しようとする課題】
しかしながら、前述のテープ印字装置は、メジャーにより寸法を測定するための手段やメジャーの移動量から寸法を自動的に検出してラベルを作成する手段を装置本体に設けているので、装置が大型で複雑になるという問題がある。
【０００８】
また、前述のテープ印字装置では、ラベルの被貼着場所に合わせて複数種類の幅の印字テープの中から適切な幅の印字テープを選択して使用する場合に、メジャーによりラベルの被貼着場所のラベルの長さの設定はできるものの、使用する印字テープの幅を決めるためには機能せず、複数の幅サイズを有する複数種類の印字テープの中からどの幅寸法の印字テープが適切であるかを決めることができないという問題がある。
【０００９】
また、前述のテープ印字装置は、ラベルに印字される文字のサイズがどの程度になり、文字のサイズがラベルの被貼着場所においてどの程度の大きさになるのか事前に確認できないという問題もある。
【００１０】
本発明は、従来の問題点を解決するものであり、装置を大型にしたり複雑にすることなく、ラベルの被貼着場所に適合するサイズのラベル作成を行うべく、ラベルの被貼着場所でのラベルの長さと幅に対応する寸法の測定又は確認をすることができ、また印字する文字サイズを印字前に確認できるテープ印字装置及びそのテープ印字装置に組み合わせて使用するスケールを提供することを目的とする。
【００１１】
【課題を解決するための手段】
この発明のテープ印字装置は、幅の異なる複数種類の印字テープが装着可能であり、その装着された印字テープに文字を印字してラベルを作成するテープ印字装置において、寸法を測定する寸法目盛を表記した第１の目盛表示部と、前記複数種類の印字テープの幅の寸法に対応する目盛を表記した第２の目盛表示部とを有するスケールを備えることを特徴としている。
【００１２】
従って、この発明のテープ印字装置によれば、ラベルの被貼着場所におけるラベルの長さに対応する寸法をスケールの第１の目盛表示部により測定し、ラベルの被貼着場所におけるラベルの幅に対応する寸法をスケールの第２の目盛表示部により測定することができ、簡単なスケールにより被貼着場所の寸法の測定ができ、これらの測定した情報をラベルの作成に反映させて長さや幅の寸法を特定したラベルの作成を容易に行うことができる。
【００１３】
この場合、前記第１の目盛表示部と前記第２の目盛表示部とは基準点を一致させ互いに直交する関係に配置することが好ましく、また、前記スケールは、テープ印字装置に着脱可能に取り付けられる部材として設けることが好ましい。
【００１４】
これにより、スケールをテープ印字装置から取り外して寸法の測定に使用することができ、また、第１の目盛表示部と第２の目盛表示部とが基準点を一致させ直交して配置されることで、ラベルの被貼着場所におけるラベルの長さと幅に対応する寸法を同時に測定することができる。
【００１５】
また、この発明のテープ印字装置は、幅の異なる複数種類の印字テープが装着可能であり、その装着された印字テープに文字を印字してラベルを作成するテープ印字装置において、寸法を測定する寸法目盛を表記した目盛表示部と、前記複数種類の印字テープの幅の寸法に対応する指標を表記した指標表示部とを有するスケールを備えることを特徴としている。
【００１６】
従って、この発明のテープ印字装置によれば、ラベルの被貼着場所におけるラベルの長さに対応する寸法をスケールの目盛表示部により測定し、ラベルの被貼着場所におけるラベルの幅に対応する寸法をスケール上の複数種類の印字テープの幅の寸法に対応する指標表示部と比較対照して測定することができ、簡単なスケールにより被貼着場所の寸法の測定ができ、これらの測定した情報をラベルの作成に反映させて長さや幅の寸法を特定したラベルの作成を容易に行うことができる。
【００１７】
また、この発明のテープ印字装置は、幅の異なる複数種類の印字テープが装着可能であり、その装着された印字テープに文字を印字してラベルを作成するテープ印字装置において、寸法を測定する寸法目盛を表記した第１の目盛表示部と、前記複数種類の印字テープに対応させてその印字テープの幅内に印字される文字のテープ幅方向の印字幅に対応する目盛を表記した第２の目盛表示部とを有するスケールを備えることを特徴としている。
【００１８】
この発明のテープ印字装置によれば、ラベルの被貼着場所におけるラベルの長さに対応する寸法をスケールの目盛表示部により測定することができるとともに、ラベルの幅に対応する文字のテープ幅方向の印字幅を印字前に把握することができる。
【００１９】
また、この発明のスケールは、幅の異なる複数種類の印字テープが装着可能であり、その装着された印字テープに文字を印字してラベルを作成するテープ印字装置に対応して使用するためのスケールであって、寸法を測定する寸法目盛を表記した第１の目盛表示部と、前記複数種類の印字テープに対応させてその印字テープの幅内に印字される文字のテープ幅方向の印字幅に対応する目盛を表記した第２の目盛表示部とを備えることを特徴としている。
【００２０】
従って、この発明のスケールによれば、ラベルの被貼着場所におけるラベルの長さに対応する寸法を第１の目盛表示部により測定し、ラベルの被貼着場所におけるラベルの幅に対応する寸法を第２の目盛表示部により測定することができので、テープ印字装置と組み合わせて使用することにより、テープ印字装置で長さや幅の寸法を特定したラベルを容易に作成することができる。
【００２１】
この場合、前記第１の目盛表示部と前記第２の目盛表示部とは基準点を一致させ互いに直交する関係に配置することが好ましい。
【００２２】
また、この発明のスケールは、幅の異なる複数種類の印字テープが装着可能であり、その装着された印字テープに文字を印字してラベルを作成するテープ印字装置に対応して使用するためのスケールであって、寸法を測定する寸法目盛を表記した目盛表示部と、前記複数種類の印字テープの幅の寸法に対応する指標を表記した指標表示部とを備えたことを特徴としている。
【００２３】
従って、この発明のスケールによれば、ラベルの被貼着場所におけるラベルの長さに対応する寸法を目盛表示部により測定し、ラベルの被貼着場所におけるラベルの幅に対応する寸法を複数種類の印字テープの幅の寸法に対応する指標表示部と比較対照して測定することができ、テープ印字装置と組み合わせて使用することにより、テープ印字装置で長さや幅の寸法を特定したラベルを容易に作成することができる。
【００２４】
【発明の実施の形態】
以下、図１ないし図４を参照して、この発明の第１の実施の形態に係るテープ印字装置について説明する。図１は、本発明の第１の実施の形態に係るテープ印字装置の平面図であり、図２は、そのテープ印字装置のカセット収納部の平面図であり、図３は、そのテープ印字装置の装置本体の部分断面図であり、図４は、そのテープ印字装置が備えるスケールの平面図である。
これらの図に示されたテープ印字装置１は、文字列等を手軽に図２に示す印字テープ２７に印字し、印字されたテープ２７を切断することによりラベルを作成するテープ印字専用の印刷装置である。
【００２５】
このテープ印字装置１は、装置本体２を備えている。この装置本体２の上面には、図１に示すように、キー入力部３及び表示部４が設けられている。また、装置本体２には、図２に示すようにテープカセット２１を収納するためのカセット収納部８が設けられ、このカセット収納部８を覆う開閉蓋５が装置本体２の上面に設けられている。
【００２６】
開閉蓋５にはカセット収納部８内を透視できる窓６が設けられている。また印字されたテープ２７を切断するカッタ１６を手動操作により駆動するカッタ操作ボタン７が装置本体２の上面に設けられている。
【００２７】
キー入力部３には、印字テープ２７に印字する文字列のデータ入力を行う文字入力キー、入力したデータの編集を行う漢字変換キーや無変換キー、カーソルの移動を指示するカーソルキー、印字開始を指令する印字キー、印字文字のサイズ等の書式設定や定長印字等の特定印字機能の設定等の各種の入力設定を行うための設定キーが設けられ、その他印字に必要な各種制御キーが設けられている。表示部４は、キー入力部３から入力され編集されるデータを表示したり、各選択メニューの表示をしたり、必要なメッセージの表示を行う。
【００２８】
図２は、開閉蓋５を取り除いた状態での装置本体２に設けられたカセット収納部８の内部を示すものであり、このカセット収納部８は、装置本体２の上面に設けられた開閉蓋５を開くことにより装置本体２の上面に開口する。
【００２９】
このカセット収納部８内には、サーマルヘッド９、プラテンローラ１０及びリボン巻取り軸１１等を備える印字機構が設けられているととともに、テープカセット２１が着脱可能に装着され、このテープカセット２１内に印字テープ２７が収納されている。
【００３０】
また、装置本体２の外側面には印字された印字テープ２７の排出口１２が形成され、カセット収納部８内から排出口１２に至る経路が印字テープ２７の排出路１３となっており、この排出路１３に固定刃１４と可動刃１５を備えるカッタ１６が設けられている。そして前記可動は５を前記カッタ操作ボタン７の操作により作動させて印字テープ２７を切断することができるようになっている。
【００３１】
テープカセット２１は、カセットケース２２を備えており、このカセットケース２２の外側部には、サーマルヘッド９が挿入されるヘッド挿入部２３が設けられ、カセットケース２２の内部には、印字テープ２７がテープ供給リール２４に巻装されて収納されている。
【００３２】
また、カセットケース２２内には、リボン供給リール２５及びリボン巻取りリール２６が設けられ、リボン供給リール２５に未使用のインクリボン２８が巻装されている。リボン巻取りリール２６は前記リボン巻取り軸１１と係合し、そのリボン巻取り軸１１により駆動されて回転し、その回転で前記インクリボン２８の使用済み部分を順次巻き取るようになっている。
【００３３】
このテープ印字装置１では、プラテンローラ１０を回転駆動して印字テープ２７及びインクリボン２８を重ねて搬送し、印字テープ２７の幅方向に配列されたサーマルヘッド９の発熱体を駆動して搬送される印字テープ２７の長さ方向に沿ってキー入力部３から入力されたデータに基づく文字列を印字する。またリボン巻取り軸１１を回転駆動して使用されたインクリボン２８をリボン巻取りリール２６に回収する。
【００３４】
文字列が印字された印字テープ２７は、排出路１３を通り排出口１２から装置外に排出される。そして、排出された印字テープ２７の印字処理部分をカッタ１６により切り離してラベルを作成する。
【００３５】
このテープ印字装置１では、幅サイズの異なる印字テープを収納した複数種類のテープカセットが予め用意されており、これらのテープカセットを選択して使用することにより種々のサイズのラベルを作成できるようにしている。例えば、このテープ印字装置１のカセット収納部８には、テープ幅が、６ｍｍ、９ｍｍ、１２ｍｍ、１８ｍｍ及び２４ｍｍの各印字テープを収容した５種類のテープカセットを装着することができ、これら５種類の幅の印字テープを使ってラベルの作成が可能となっている。
【００３６】
印字テープ２７は、その印字面側の裏面に接着層が設けられ、その接着層に剥離紙が貼り付けられており、作成したラベルは剥離紙を剥離し、裏面の接着層によって任意の対象物（被貼着場所）に貼着することができる。
【００３７】
また、このテープ印字装置１は、寸法数値を入力設定してその長さのラベルを作成する定長印字機能や、印字する文字の文字サイズを自動的に設定する文字サイズ自動設定機能を有している。この文字サイズ自動設定機能では、ユーザーが特に文字サイズを設定しない場合に、テープ印字装置１に装着されている印字テープの幅及び印字するデータの行数に応じてデフォルト値の文字サイズが設定されるもので、例えば、１行の印字の場合では、印字の文字サイズは、６ｍｍ幅の印字テープで縦横が３×３ｍｍ、９ｍｍ幅の印字テープで６×６ｍｍ、１２ｍｍ幅の印字テープで９×９ｍｍ、１８ｍｍ幅の印字テープで１２×１２ｍｍ、２４ｍｍ幅の印字テープで１５×１５ｍｍとなっている。
【００３８】
そして、このテープ印字装置１では、装置本体２の上面の前端部にスケール３１を備えている。図３は装置本体２の前端部の断面を示すものであり、装置本体２の前端部には凹状に形成されたスケール収容部１７が設けられ、このスケール収容部１７にスケール３１が装着されている。スケール３１は装置本体２に対して着脱可能になっており、スケール３１の裏面側の適所には係止爪３５及び位置合わせ突起３６が設けられ、これらに対応して装置本体２側には係止爪３５が係止される凹部１８及び位置合わせ突起３６が突き当てられる凹部１９が設けられている。また、スケール３１が装置本体２に装着された状態では、装置本体２の上面とスケール３１のスケール面とは面一になっている。
【００３９】
図４はスケール３１の平面図を示しており、図示のように、スケール３１は、アクリル樹脂等の透明の樹脂素材からなり、略平板状で長方形の外形形状を有している。スケール３１の上面であるスケール面には、一長辺に沿ってその一端部を始点（基準点３２）として寸法目盛が付された寸法目盛表示部３３が印刷により表記されている。
【００４０】
この寸法目盛表示部３３の寸法目盛には一定間隔で寸法数値が付記され、寸法単位が表示されている。また、スケール面には、一短辺に沿って前記基準点３２を始点とし、前記寸法目盛表示部３３とは直交する方向に、印字テープの幅サイズを表す目盛とともに、その幅サイズの数値を表示するテープ幅目盛表示部３４が印刷により表記されている。
【００４１】
前記寸法目盛表示部３３の寸法目盛は等間隔であるが、印字テープの幅サイズを表すテープ幅目盛表示部３４の各目盛は、このテープ印字装置１に装着して使用が可能な複数種類のテープカセットに収納される印字テープの幅を実寸法で表示するものであるため、図４のように印字テープの幅に対応した不等間隔の目盛になっている。
【００４２】
すなわち、このテープ印字装置１では、６ｍｍ、９ｍｍ、１２ｍｍ、１８ｍｍ及び２４ｍｍの各幅サイズ（幅寸法）の印字テープが使用可能であるため、基準点３２から夫々６ｍｍ、９ｍｍ、１２ｍｍ、１８ｍｍ及び２４ｍｍの長さの位置に各印字テープの幅サイズを示す目盛が付されている。
【００４３】
このスケール３１は、テープ印字装置１の装置本体２の上面から取り外してラベルの被貼着場所に押し当て、前記寸法目盛表示部３３によって被貼着場所でのラベルの長さに対応する方向の長さを測定することができ、それと同時に、前記テープ幅目盛表示部３４の目盛に基づいて被貼着場所でのラベルの幅に対応する方向の長さを確認することができる。
【００４４】
従って、前記寸法目盛表示部３３により測定した長さの情報によってテープ印字装置１で作成しようとするラベルの長さを決めることができ、また、前記テープ幅目盛表示部３４によって被貼着場所に適合する幅の印字テープを選択してラベルを作成することができる。
【００４５】
図５は本発明の第２の実施の形態に係るテープ印字装置が備えるスケール４１の平面図を示してある。第２の実施の形態に係るテープ印字装置は、前述の第１の実施の形態に係るテープ印字装置と装置本体の構成は同一であるが、スケール４１が、前述の第１の実施の形態に係るスケール３１とはスケール面の表記が異なる点で相違している。
【００４６】
すなわち、スケール４１の上面であるスケール面には、一長辺に沿って寸法目盛を表示した寸法目盛表示部４３が表記され、この寸法目盛表示部４３には寸法数値が付記されている。また、スケール面には、このスケール４１を備えるテープ印字装置に使用できる印字テープの幅サイズの数値が付記されるとともに、その各印字テープの幅サイズを実寸法の長さの線分で表す指標４４ａ、４４ｂ、４４ｃ、４４ｄ、４４ｅからなるテープ幅指標表示部４４が設けられている。指標４４ａは６ｍｍ幅の印字テープを表す指標であり、以下、４４ｂは９ｍｍ幅、４４ｃは１２ｍｍ幅、４４ｄは１８ｍｍ幅、４４ｅは２４ｍｍ幅の夫々の印字テープを表す指標である。
【００４７】
このスケール４１は透明の樹脂材からなり、寸法目盛表示部４３の目盛やテープ幅指標表示部４４の各指標等は印刷によって表記されている。
【００４８】
このスケール４１は、テープ印字装置から取り外し、ラベルの被貼着場所に押し当て被貼着場所の寸法を測定するために使用するものであり、前記寸法目盛表示部４３により被貼着場所でのラベルの長さに対応する方向の長さを測定し、また、前記テープ幅指標表示部４４の指標４４ａ〜４４ｅにより被貼着場所に適合する最適な印字テープの幅を確認することができる。
【００４９】
従って、前記寸法目盛表示部４３により測定した長さの情報により作成するラベルの長さを決めることができ、また、前記テープ幅指標表示部４４により被貼着場所に適合する幅の印字テープを選択してラベルを作成することができる。
【００５０】
なお、図５では、前記テープ幅指標表示部４４の各指標４４ａ〜４４ｅは、スケール４１の長辺に沿った寸法目盛表示部４３に対して平行に配置しているが、寸法目盛表示部４３に対して直交する方向に配置してもよい。
【００５１】
図６は本発明の第３の実施の形態に係るテープ印字装置が備えるスケール５１の平面図を示してある。第３の実施の形態に係るテープ印字装置も前述の第１及び第２の実施の形態に係るテープ印字装置とはスケールの構成を除いて装置本体の構成は同一である。
【００５２】
図６に示すように、この第３の実施の形態に係るテープ印字装置が備えるスケール５１は、前述の第１及び第２の実施の形態に係るスケール３１、４１とはスケール面の表記が異なっている。
【００５３】
すなわち、このスケール５１のスケール面には、一長辺に沿ってその一端部を基準点５２とする寸法目盛表示部５３が表記されている。また、スケール面には、一短辺に沿って前記基準点５２を始点とし寸法目盛表示部５３とは直交する方向にこのテープ印字装置で使用可能な印字テープの幅サイズの数値が付記されたテープ幅目盛表示部５４が表記されている。これらの寸法目盛表示部５３及びテープ幅目盛表示部５４は第１の実施の形態における寸法目盛表示部３３及びテープ幅目盛表示部３４と同一である。
【００５４】
一方、スケール５１の他の長辺にも基準点５５を始点とする寸法目盛表示部５６が表記されている。そして、スケール５１の他の短辺に沿ってこのテープ印字装置で使用可能な印字テープの各幅内に印字される文字の印字文字サイズを示す目盛からなる文字サイズ目盛表示部５７が表記されている。
【００５５】
前述のように、テープ印字装置１では、印字テープの幅に応じて印字する文字のサイズを自動的に設定する機能を備えており、前記文字サイズ目盛表示部５７は、前述の５種類の幅の各印字テープに１行の文字列を印字する場合に自動的に設定される文字サイズを表している。
【００５６】
図中の６、９、１２、１８及び２４の数値は、夫々６ｍｍ、９ｍｍ、１２ｍｍ、１８ｍｍ及び２４ｍｍの各幅の印字テープにおいて１行に印字する場合の文字のサイズを実寸法で表すもので、本印字装置では前記５種類の印字テープに対して前述のような数値の文字サイズが自動設定される関係から、６ｍｍ幅の印字テープを意味する６の数値が付された目盛は基準点５５から３ｍｍの位置にあり、以下、基準点５５から、９ｍｍ幅の印字テープを意味する９の数値が付された目盛は６ｍｍ、１２の数値が付された目盛は９ｍｍ、１８の数値が付された目盛は１２ｍｍ、２４の数値が付された目盛は１５ｍｍの夫々の長さに離れて位置している。
【００５７】
このスケール５１は、テープ印字装置から取り外してラベルの被貼着場所に押し当て、第１の実施の形態に係るスケール３１と同様に、前記寸法目盛表示部５３及び前記テープ幅目盛表示部５４によって被貼着場所のサイズを測定してラベルの長さ及び幅を決めることができ、また、前記寸法目盛表示部５６及び前記文字サイズ目盛５７をラベルの被貼着場所に当てることによりラベルに印字しようとする文字サイズを事前に確認することができる。
【００５８】
なお、第１ないし第３の実施の形態に係るテープ印字装置が備える各スケール３１、４１、５１は、テープ印字装置の装置本体に着脱可能に設けるようにしてあるが、これをテープ印字装置の装置本体に直接印刷によって表記するようにしてもよい。
【００５９】
また、第１ないし第３の実施の形態に係るテープ印字装置が備える各スケール３１、４１、５１は、テープ印字装置の装置本体に着脱可能に設けるものであり、テープ印字装置の装置本体に装着した状態では、装置本体の上面パネルの一部を構成するものであったが、これらスケール３１、４１、５１をテープ印字装置とは別個の単体のスケール装置としてもよい。例えば、単体の装置として販売することで、スケールを備えていないテープ印字装置でも、このスケールを組み合わせて使用することにより、第１ないし第３の実施の形態に係るテープ印字装置に備えられるスケールのように、ラベルの被貼着場所における長さの測定やラベルの幅及び文字サイズの確認を行うことができる。
【００６０】
【発明の効果】
以上説明したように、請求項１の発明のテープ印字装置によれば、ラベルの被貼着場所におけるラベルの長さに対応する寸法をスケールの第１の目盛表示部により測定し、ラベルの被貼着場所におけるラベルの幅に対応する寸法をスケールの第２の目盛表示部により測定することができ、簡単なスケールにより被貼着場所の寸法の測定ができ、これらの測定した情報をラベルの作成に反映させて長さや幅の寸法を特定したラベルの作成を容易に行うことができる。
【００６１】
また、請求項３の発明のテープ印字装置によれば、ラベルの被貼着場所におけるラベルの長さに対応する寸法をスケールの目盛表示部により測定し、ラベルの被貼着場所におけるラベルの幅に対応する寸法をスケール上の複数種類の印字テープの幅の寸法に対応する指標表示部と比較対照して測定することができ、簡単なスケールにより被貼着場所の寸法の測定ができ、これらの測定した情報をラベルの作成に反映させて長さや幅の寸法を特定したラベルの作成を容易に行うことができる。
【００６２】
また、請求項４の発明のテープ印字装置によれば、寸法を測定する寸法目盛を表記した第１の目盛表示部と、複数種類の印字テープに対応させてその印字テープの幅内に印字される文字のテープ幅方向の印字幅に対応する目盛を表記した第２の目盛表示部とを有するスケールを備えることにより、ラベルの被貼着場所におけるラベルの長さに対応する寸法をスケールの目盛表示部により測定することができるとともに、ラベルの幅に対応する文字のテープ幅方向の印字幅を印字前に把握することができる。
【００６３】
また、請求項８の発明のスケールによれば、ラベルの被貼着場所におけるラベルの長さに対応する寸法を第１の目盛表示部により測定し、ラベルの被貼着場所におけるラベルの幅に対応する寸法を第２の目盛表示部により測定することができ、テープ印字装置と組み合わせて使用することにより、テープ印字装置で長さや幅の寸法を特定したラベルを容易に作成することができる。
【００６４】
また、請求項１０の発明のスケールによれば、ラベルの被貼着場所におけるラベルの長さに対応する寸法を目盛表示部により測定し、ラベルの被貼着場所におけるラベルの幅に対応する寸法を複数種類の印字テープの幅の寸法に対応する指標表示部と比較対照して測定することができ、テープ印字装置と組み合わせて使用することにより、テープ印字装置で長さや幅の寸法を特定したラベルを容易に作成することができる。
【図面の簡単な説明】
【図１】本発明の第１の実施の形態に係るテープ印字装置の平面図。
【図２】そのテープ印字装置のカセット収納部の平面図。
【図３】そのテープ印字装置の装置本体の部分断面図。
【図４】そのテープ印字装置が備えるスケールの平面図。
【図５】本発明の第２の実施の形態に係るテープ印字装置が備えるスケールの平面図。
【図６】本発明の第３の実施の形態に係るテープ印字装置が備えるスケールの平面図。
【符号の説明】
１…テープ印字装置
２…装置本体
８…カセット収納部
１７…スケール収容部
２１…テープカセット
２７…印字テープ
３１…スケール
３２…基準点
３３…寸法目盛表示部（第１の目盛表示部）
３４…テープ幅目盛表示部（第２の目盛表示部）
４１…スケール
４３…寸法目盛表示部（目盛表示部）
４４…テープ幅指標表示部（指標表示部）
４４ａ〜４４ｅ…指標
５１…スケール
５２…基準点
５５…基準点
５６…寸法目盛表示部（第１の目盛表示部）
５７…文字サイズ目盛表示部（第２の目盛表示部）
【図１】
2004209812.tif 000003
【図２】
2004209812.tif 000004
【図３】
2004209812.tif 000005
【図４】
2004209812.tif 000006
【図５】
2004209812.tif 000007
【図６】
2004209812.tif 000008